(57)【特許請求の範囲】
【請求項１】
ユーザから、宛先の入力を二回連続して受け付け、二回目の宛先が一回目の宛先と同一である場合に、当該宛先の入力を確定する操作装置において、
一回目の宛先が入力された場合に、当該一回目の宛先を構成する文字の一部を所定の文字に変換した擬似宛先を生成する擬似宛先生成手段と、
ユーザに、前記一回目の宛先のキーと、前記擬似宛先のキーとを押下可能に表示する擬似宛先表示手段と、
所定の宛先のキーが押下されると、当該押下されたキーの宛先を二回目の宛先として、当該二回目の宛先が、前記一回目の宛先と同一であるか否かを判定する宛先判定手段と
を備えることを特徴とする操作装置。
【請求項２】
前記擬似宛先生成手段は、変換対象である前記一部を構成する文字を、無作為に生成された文字に変換して前記擬似宛先を生成する
請求項１に記載の操作装置。
【請求項３】
前記擬似宛先生成手段は、変換対象である前記一部を構成する文字を、当該一部と異なる前記一回目の宛先の文字又は当該一部の文字から無作為に選択された文字に変換して前記擬似宛先を生成する
請求項１に記載の操作装置。
【請求項４】
前記擬似宛先生成手段は、前記擬似宛先を生成する際に、変換対象である前記一部を構成する文字と、所定の文字とを比較し、両者が同一でない場合に、前記一部を構成する文字を、前記所定の文字に変換する
請求項１に記載の操作装置。
【請求項５】
変換対象である前記一部を構成する文字数は、前記一回目の宛先を構成する文字数の半分以下である
請求項１−４のいずれか一項に記載の操作装置。
【請求項６】
前記宛先判定手段は、前記二回目の宛先が、前記一回目の宛先と同一でない場合に、ユーザに、新たな一回目の宛先を再度入力させる
請求項１−５のいずれか一項に記載の操作装置。
【請求項７】
請求項１−６のいずれか一項に記載の操作装置を備えた画像形成装置。
【請求項８】
ユーザから、宛先の入力を二回連続して受け付け、二回目の宛先が一回目の宛先と同一である場合に、当該宛先の入力を確定する操作装置の操作方法において、
一回目の宛先が入力された場合に、当該一回目の宛先を構成する文字の一部を所定の文字に変換した擬似宛先を生成する擬似宛先生成ステップと、
ユーザに、前記一回目の宛先のキーと、前記擬似宛先のキーとを押下可能に表示する擬似宛先表示ステップと、
所定の宛先のキーが押下されると、当該押下されたキーの宛先を二回目の宛先として、当該二回目の宛先が、前記一回目の宛先と同一であるか否かを判定する宛先判定ステップと
を備えることを特徴とする操作方法。
【請求項９】
請求項８に記載の操作方法をコンピュータに実行させるためのプログラム。
【請求項１０】
請求項９に記載のプログラムを記憶したコンピュータに読み取り可能な記憶媒体。
【発明の詳細な説明】
【技術分野】
【０００１】
本発明は、操作装置及び操作方法に関し、詳しくは、同一の宛先を二回入力する際に、当該宛先の入力を簡単に行うことが出来るとともに、当該宛先の入力ミスを防止することが可能な操作装置及び操作方法に関する。
【背景技術】
【０００２】
従来のファクシミリ装置においては、ワンタッチダイヤル、短縮ダイヤル又はテンキーダイヤルにより相手先へ発呼していた。
【０００３】
例えば、ユーザが、ワンタッチダイヤル０１の相手先へ発呼しようと思った場合、前記ワンタッチダイヤル０１を押下すれば、当該ワンタッチダイヤル０１に関連付けられたファクシミリ番号が自動的に入力され、所定の送信情報が当該ファクシミリ番号の相手先に送信されることになる。
【０００４】
しかしながら、ここで、ユーザが間違って隣のワンタッチダイヤル（例えば、ワンタッチダイヤル０２）を押下した場合、前記送信情報はワンタッチダイヤル０２の相手先へ送られてしまい、誤った通信が行われる可能性があるという問題がある。
【０００５】
このような問題を解決する技術として、特開平７−１５４５６３号公報（特許文献１）には、発呼する相手先を同一の方法または異なる方法で複数回入力する手段を有し、この入力された複数の相手先情報が相互に一致した時にのみ発呼動作を行い、この複数の相手先情報が一致していない時は、その旨を表示し、発呼動作を行わないファクシミリ装置が開示されている。これにより、誤った宛先入力操作によって誤った通信が行われるのを有効に防止することが出来るとしている。
【０００６】
又、特開２００１−７７９９７号公報（特許文献２）には、相手先電話番号毎に相手先情報を保存する相手先情報保存手段と、手動ダイヤル時、ユーザにより入力された相手先電話番号、及び、該相手先電話番号に対応した前記相手先情報保存手段により保存された相手先情報を表示する相手先情報表示手段とを有するファクシミリ装置が開示されている。これにより、入力した電話番号が、ユーザが意図したものであるか否かを確認することが可能となり、電話番号の誤入力を防止することが可能となるとしている。
【０００７】
又、特開２００７−３６４７８号公報（特許文献３）には、宛先情報をこの宛先情報よりも少ない語数の短縮情報とともに登録する登録ステップと、前記短縮情報とこれに対応する宛先情報を入力して送信指示を行う送信指示ステップとを備えるデータ送信方法が開示されている。前記データ送信方法は、更に、前記送信指示ステップで入力された前記短縮情報に対応して登録されている前記宛先情報と前記送信指示ステップで入力された前記宛先情報とが一致したとき、その一致した前記宛先情報によって特定される宛先に送信データを送信する送信ステップとを備える。これにより、ユーザに大きな負担とならずにデータの誤送信を防止することが出来るとしている。
【０００８】
又、特開２００８−２６３３７７号公報（特許文献４）には、ネットワーク経由で電子メールの送受信を行う送受信部、送信する電子メールのデータ作成及び受信した電子メールのデータ解析を行うメールデータ処理部、ユーザとの情報交換を可能とし、電子メールの送信要求の入力を受け付ける操作部、及び前記操作部を通じて行われる送信要求に応じ、前記送受信部、メールデータ処理部を動作させて、電子メールを送受信するシステム制御部を有する情報通信装置が開示されている。前記情報通信装置における前記システム制御部は、ネットワーク経由でwhoisサーバに対し、前記操作部を通じて行われる電子メールの送信要求に指示された送信先メールアドレスのドメインに関する管理情報の取得要求を行い、whoisサーバから送られてくる該管理情報を受け取る管理情報取得手段を備える。又、前記システム制御部は、前記管理情報取得手段によって取得した当該ドメインに関する管理情報を前記操作部によって通知する管理情報通知手段と、当該ドメインに関する管理情報の通知後に、前記操作部で受け付けた入力操作によって、送信先を確認する送信先確認手段を備える。これにより、ユーザが、前記管理情報に拠って、意図する送信先であるかを容易に確認することが出来て、誤送信を確実に防止することが出来るとしている。
【０００９】
又、特開２００８−２８８７１５号公報（特許文献５）には、通信装置と、当該通信装置及び相手先装置を仲介する公衆網とを中継する中継装置が開示されている。前記通信装置は、電話番号を入力する入力手段と、オフフック信号を送出して公衆網と接続し該公衆網から送出されるダイヤルトーンを受け、前記入力手段から入力される電話番号を送出し、該電話番号に該当する相手先装置と前記公衆網を介して接続し、画像・音声データの送信を行うことが可能である。又、前記通信装置は、相手先装置から前記公衆網を介して着呼し接続され、画像・音声データの受信を行うことが可能である。そして、前記中継装置は、着信の有無を判別する着信判定手段と、中継元からの発呼を受ける着呼手段と、中継先に発呼を行う発呼手段と、擬似ダイヤルトーン及び疑似ビジートーンを択一で送出する疑似トーン送出手段とを備える。又、前記中継手段は、受信した電話番号を中点にて分割し、分割された電話番号の数字の並びが相互に合致した場合、受信した電話番号は正当であると判別する電話番号判別手段と、装置の動作を制御する制御部と、装置の動作に関するデータを一時的に記憶するための記憶手段とを備える。更に、前記中継装置は、前記通信装置及び前記公衆網を中継し、前記通信装置を用いて相手先装置へ発呼する際に、前記通信装置から前記公衆網に送出されるオフフック信号を前記着呼手段にて受け、擬似トーン送出手段により疑似ダイヤルトーンを前記通信装置に送出する。又、前記中継装置は、続いて前記通信装置から送出される電話番号を前記着呼手段によって受信し、該電話番号を前記記憶手段によって記憶し、前記電話番号判別手段によって受信した電話番号の正当性を判別する。そして、前記中継装置は、電話番号が正当であるとされた場合、前記発呼手段は前記分割された電話番号の何れか一方を前記公衆網へ発呼し、前記通信装置と前記公衆網を接続させると共に前記公衆網からのリングバックトーンを前記通信装置へ中継し、誤っていると判別された場合は、前記公衆網への接続を行わない。これにより、通話装置で入力した電話番号が誤っている場合、中継装置は公衆網に発呼しないため、ユーザが誤った入力を行ったとしても、画像・音声データが誤った相手先に送られてしまうことを防止することが出来るとしている。
【先行技術文献】
【特許文献】
【００１０】
【特許文献１】特開平７−１５４５６３号公報
【特許文献２】特開２００１−７７９９７号公報
【特許文献３】特開２００７−３６４７８号公報
【特許文献４】特開２００８−２６３３７７号公報
【特許文献５】特開２００８−２８８７１５号公報
【発明の概要】
【発明が解決しようとする課題】
【００１１】
ところで、前記特許文献１−５に記載の発明の他に、宛先の入力ミスを防止する従来技術として、ユーザに、電話番号、ファクシミリ番号、電子メールアドレス、フォルダ、ＦＴＰ（Ｆｉｌｅ  Ｔｒａｎｓｆｅｒ  Ｐｒｏｔｏｃｏｌ）のパス名等の文字からなる宛先を二回、連続して入力させ、二回目に入力された宛先が一回目に入力された宛先と一致した場合にのみ、当該宛先に対応する処理を行う技術が存在する。
【００１２】
当該技術では、二回入力する際に、ユーザに入力された宛先の適否を確認させる点では、有効であるものの、ユーザにとって、二回目の宛先の入力が煩わしく、手間が掛かるという問題がある。当該問題は、前記特許文献１−５に記載の技術では解決することが出来ない。
【００１３】
そこで、本発明は、前記問題を解決するためになされたものであり、同一の宛先を二回入力する際に、当該宛先の入力を簡単に行うことが出来るとともに、当該宛先の入力ミスを防止することが可能な操作装置及び操作方法を提供することを目的とする。
【課題を解決するための手段】
【００１４】
上述した課題を解決し、目的を達成するために、本発明に係る操作装置は、ユーザから、宛先の入力を二回連続して受け付け、二回目の宛先が一回目の宛先と同一である場合に、当該宛先の入力を確定する操作装置を前提とし、以下の構成を採用する。
【００１５】
前記操作装置は、一回目の宛先が入力された場合に、当該一回目の宛先を構成する文字の一部を所定の文字に変換した擬似宛先を生成する擬似宛先生成手段と、ユーザに、前記一回目の宛先のキーと、前記擬似宛先のキーとを押下可能に表示する擬似宛先表示手段とを備える。又、前記操作装置は、所定の宛先のキーが押下されると、当該押下されたキーの宛先を二回目の宛先として、当該二回目の宛先が、前記一回目の宛先と同一であるか否かを判定する宛先判定手段を備える。
【００１６】
これにより、ユーザは、二回目の宛先を入力することなく、擬似宛先のキーと一回目の宛先のキーとの中から、当該一回目の宛先のキーを探し出して、押下すればよいため、ユーザに、二回目の宛先の入力操作を省略させるとともに、一回目の宛先と擬似宛先とを十分に検討させて、一回目の宛先の正否を十分に確認させることが可能となる。その結果、宛先の入力ミスを防止することが可能となる。
【００１７】
又、前記擬似宛先生成手段は、変換対象である前記一部を構成する文字を、無作為に生成された文字に変換して前記擬似宛先を生成するよう構成することが出来る。
【００１８】
又、前記擬似宛先生成手段は、変換対象である前記一部を構成する文字を、当該一部と異なる前記一回目の宛先の文字又は当該一部の文字から無作為に選択された文字に変換して前記擬似宛先を生成するよう構成することが出来る。
【００１９】
又、前記擬似宛先生成手段は、前記擬似宛先を生成する際に、変換対象である前記一部を構成する文字と、所定の文字とを比較し、両者が同一でない場合に、前記一部を構成する文字を、前記所定の文字に変換するよう構成することが出来る。
【００２０】
又、変換対象である前記一部を構成する文字数は、前記一回目の宛先を構成する文字数の半分以下であるよう構成することが出来る。
【００２１】
又、前記宛先判定手段は、前記二回目の宛先が、前記一回目の宛先と同一でない場合に、ユーザに、新たな一回目の宛先を再度入力させるよう構成することが出来る。
【００２２】
又、前記操作装置は、画像形成装置に適用することが出来る。
【００２３】
尚、本発明は、ユーザから、宛先の入力を二回連続して受け付け、二回目の宛先が一回目の宛先と同一である場合に、当該宛先の入力を確定する操作装置の操作方法として提供することが出来る。
【００２４】
即ち、前記操作方法は、一回目の宛先が入力された場合に、当該一回目の宛先を構成する文字の一部を所定の文字に変換した擬似宛先を生成する擬似宛先生成ステップと、ユーザに、前記一回目の宛先のキーと、前記擬似宛先のキーとを押下可能に表示する擬似宛先表示ステップとを備える。又、前記操作方法は、所定の宛先のキーが押下されると、当該押下されたキーの宛先を二回目の宛先として、当該二回目の宛先が、前記一回目の宛先と同一であるか否かを判定する宛先判定ステップを備える。前記構成としても、上述と同様の効果を得ることが可能となる。
【００２５】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２６】
本発明の操作装置及び操作方法によれば、同一の宛先を二回入力する際に、当該宛先の入力を簡単に行うことが出来るとともに、当該宛先の入力ミスを防止することが可能となる。
【図面の簡単な説明】
【００２７】
【図１】本発明に係る複合機の内部の全体構成を示す概念図である。
【図２】本発明に係る操作部の全体構成を示す概念図である。
【図３】本発明に係る複合機及び操作部の制御系ハードウェアの構成を示す図である。
【図４】本発明の実施形態における複合機及び操作部の機能ブロック図である。
【図５】本発明の実施形態の実行手順を示すための第一のフローチャートである。
【図６】本発明の実施形態のタッチパネル上に表示されたファクシミリ送信画面の一例を示す図（図６（Ａ））と、本発明の実施形態に係る擬似宛先のファクシミリ番号を生成する場合の一例を示す図（図６（Ｂ））である。
【図７】本発明の実施形態のタッチパネル上に表示された宛先選択画面の一例を示す図（図７（Ａ））と、本発明の実施形態に係る擬似宛先の電子メールアドレス及びファイルのパス名を生成する場合の一例を示す図（図７（Ｂ））である。
【図８】本発明の実施形態に係る操作部の問い合わせ画面の一例を示す図（図８（Ａ））と、本発明の実施形態に係る操作部のファイルボックス画面の一例を示す図（図８（Ｂ））である。
【発明を実施するための形態】
【００２８】
以下に、添付図面を参照して、本発明の操作装置を備えた画像形成装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベット「Ｓ」はステップを意味する。
【００２９】
＜画像形成装置及び操作装置＞
以下に、本発明の実施形態に係る操作装置を備えた画像形成装置について説明する。
【００３０】
図１は、本発明の実施形態に係る画像形成装置の概略模式図である。但し、本発明に直接には関係しない各部の詳細は省略している。尚、本発明の画像形成装置は、例えば、プリンタやスキャナ単体、あるいはプリンタ、コピー、スキャナ、ファックス等を備えた複合機等が該当し、コピー機能、スキャナ機能、ファクシミリ機能、プリンタ機能等を備えた画像形成装置として機能する。以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００３１】
先ず、ユーザが複合機１００を利用する場合、原稿Ｐを複合機１００の上面に備えられている原稿台１０１に載置し、コピー機能の設定を操作部１０２から入力する。当該操作部１０２には、複合機１００が提供するコピー機能に関連する操作画面（初期画面など）が表示され、コピー機能に関連する複数の設定項目キーが選択可能に表示されている。又、前記操作画面には、各機能毎に機能項目キーがタブ形式で選択可能に表示される。ユーザは、前記操作画面を介して、コピー機能に関する設定条件の入力を行う。
【００３２】
ユーザが、設定条件の入力を完了すると、操作部１０２に設けられたスタートキー２０５を押下して、複合機１００にコピー機能の処理を開始させる。
【００３３】
複合機１００がコピー機能の処理を開始すると、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、基本的な補正処理、画質処理、圧縮処理等を施され、前記原稿に対応する画像データが生成される。
【００３４】
尚、前記生成された画像データは、前記操作部１０２からの指示に応じて、前記撮像素子１０８に接続された通信部２０に送信される。前記通信部２０は、前記操作部１０２から入力された宛先（例えば、ファクシミリ番号、電子メールアドレスなど）と前記画像データとを用い、ネットワーク３０を介して前記宛先に前記画像データを送信する。
【００３５】
さて、前記画像データをトナー像として転写する駆動部が画像形成部１０９である。前記画像形成部１０９には感光体ドラム１１０が備えられている。前記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００３６】
前記帯電器１１１は、前記感光体ドラム１１０の表面を一様に帯電させる。前記露光ユニット１１２は、帯電された前記感光体ドラム１１０の表面に、前記画像データに基づいてレーザーを照射し、静電潜像を形成する。前記現像器１１３は、搬送された静電潜像に、トナーを付着させてトナー像を形成する。形成されたトナー像は、前記転写器１１４により、記録媒体（例えば、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００３７】
前記シートは、前記複合機１００に備えられた複数の給紙カセット１１６から搬送される。搬送される時は、前記シートはピックアップローラ１１７により何れか１つの前記給紙カセット１１６から搬送路へ引き出される。前記各給紙カセット１１６には、それぞれ異なる紙種のシートが収容されており、前記出力条件に関する設定に基づいてシートが給紙される。
【００３８】
搬送路に引き出された前記シートは、搬送ローラ１１８やレジストローラ１１９により感光体ドラム１１０と転写器１１４の間に送り込まれる。送り込まれると、前記シートは前記転写器１１４により前記トナー像が転写され、定着装置１２０に搬送される。
【００３９】
前記トナー像が転写されたシートが前記定着装置１２０に備えられた加熱ローラ１２１と加圧ローラ１２２の間を通過すると、前記トナー像に熱と圧力が印加されて、可視像がシートに定着される。前記加熱ローラ１２１の熱量は紙種に応じて最適に設定され、前記定着が適切に行われる。前記可視像がシートに定着されて画像形成が終了し、可視像が定着されたシートは、定着装置１２０を経て排紙トレイ１２３へ排紙され、積載、収容される。
【００４０】
前記手順により、複合機１００はコピー機能をユーザに提供する。
【００４１】
尚、所定の宛先に所定の画像データを送信する機能、例えば、ファクシミリ送信機能や電子メール送信機能は、上述した通信部２０によりユーザに提供される。
【００４２】
図２は、本発明の実施形態に係る操作部の全体構成を示す概念図である。ユーザは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００４３】
前記タッチパネル２０１には、設定条件を入力する機能と当該設定条件を表示する機能が兼ね備えられている。即ち、タッチパネル２０１上に表示された画面内の項目キーを押下することによって、押下された項目キーに対応する設定条件が入力される。
【００４４】
タッチパネル２０１の背面には、ＬＣＤ（Ｌｉｑｕｉｄ  Ｃｒｙｓｔａｌ  Ｄｉｓｐｌａｙ）等の表示部（図示せず）が設けられており、当該表示部が、例えば、前記初期画面等の操作画面を表示する。タッチパネル２０１の近傍には、タッチペン２０２が備えられており、ユーザがそのタッチペン２０２の先をタッチパネル２０１に接触させると、タッチパネル２０１下に設けられたセンサーが接触先を検知する。
【００４５】
更に、タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００４６】
次に、図３を用いて、複合機１００及び操作部１０２の制御系ハードウェアの構成を説明する。図３は、本発明に係る複合機１００及び操作部１０２の制御系ハードウェアの構成を示す図である。ただし、本発明に直接には関係しない各部の詳細は省略している。
【００４７】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５、通信インターフェイス３０６を内部バス３０７によって接続している。前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０５と前記操作部１０２からのデータや指示を授受し、前記図１に示した各駆動部の動作を制御する。また、前記ＣＰＵ３０１は、前記操作部１０２から入力された宛先のデータに基づいて、前記通信インターフェイス３０６を介してネットワーク３０上の宛先の端末装置（例えば、ＰＣや複合機等）を特定し、所定のデータ（画像データ等）を送信したりする。前記駆動部以外の後述する各手段（図４に示す）についても、前記ＣＰＵ３０１がプログラムを実行することで当該各手段を実現する。
【００４８】
又、制御回路の内部バス３０７には、内部インターフェイス３０８も接続されており、当該内部インターフェイス３０８は、前記操作部１０２の制御回路等と複合機１００の制御回路とを接続する。
【００４９】
又、操作部１０２の制御回路には、ＣＰＵ３０９、ＲＯＭ３１０、ＲＡＭ３１１、ＬＣＤ３１２、操作キー３１３（２０３）、タッチパネル３１４（２０１）、内部インターフェイス３１５を内部バス３１６によって接続している。操作キー３１３やタッチパネル３１４をユーザが操作すると、ＣＰＵ３０９は、内部インターフェイス３１５を介して、当該操作に基づく命令信号を複合機１００の制御回路に送信する。又、ＣＰＵ３０９、ＲＯＭ３１０、ＲＡＭ３１１の機能も上記と同様であり、後述する各手段（図４に示す）についても、前記ＣＰＵ３０９がプログラムを実行することで当該各手段を実現する。前記ＲＯＭ３１０には、以下に説明する各手段を実現するプログラムやデータが記憶されている。
【００５０】
＜本発明の実施形態＞
次に、図４、図５を参照しながら、本発明の実施形態に係る構成及び実行手順について説明する。図４は、本発明の複合機及び操作部の機能ブロック図である。図５は、本発明の実行手順を示すためのフローチャートである。
【００５１】
まず、ユーザが、複合機１００の原稿台１０１に所定の原稿を載置し、当該複合機１００の電源を投入すると、当該複合機１００及び操作部１０２が起動し、起動した操作部１０２の表示受付手段４０１が、所定の機能（例えば、コピー機能）の設定条件を入力するために予め設定された初期画面をタッチパネル２０１上に表示する。
【００５２】
ユーザは、前記初期画面を見ながら、例えば、ファクシミリ送信機能を使用するために、前記初期画面に表示されているファクシミリ送信機能のタブキーを押下すると、前記表示受付手段４０１は、前記ファクシミリ送信機能のタブキーの押下を受け付けて、前記初期画面から、当該ファクシミリ送信機能に対応するファクシミリ送信画面に切り替え表示する（図５：Ｓ１０１）。
【００５３】
前記ファクシミリ送信画面６００には、図６（Ａ）に示すように、前記宛先のファクシミリ番号の数字を入力するためのテンキー６０１と、当該宛先の入力を確定し、ファクシミリ送信機能の実行を開始させるためのスタートキー６０２と、他の機能のタブキー６０３とが押下可能に表示される。又、前記テンキー６０１により入力された数字は、前記宛先のファクシミリ番号として宛先入力欄６０４に表示される。
【００５４】
ここで、ユーザは、前記テンキー６０１を用いて、所定の宛先のファクシミリ番号（例えば、「０１２３４５６７８９」）を前記宛先入力欄６０４に入力し、前記スタートキー６０２を押下すると（図５：Ｓ１０２）、前記表示受付手段４０１は、前記スタートキー６０２の押下を受け付けて、前記宛先のファクシミリ番号（「０１２３４５６７８９」）を所定のメモリに一時記憶させるとともに、その旨を擬似宛先生成手段４０２に通知する。当該通知を受けた擬似宛先生成手段４０２は、先ほど記憶された宛先のファクシミリ番号を、最初に受け付けた一回目の宛先のファクシミリ番号として受け付けて、当該一回目の宛先のファクシミリ番号を構成する数字の一部を所定の数字に変換した擬似宛先のファクシミリ番号を生成する（図５：Ｓ１０３）。
【００５５】
具体的には、図６（Ｂ）に示すように、前記擬似宛先生成手段４０２は、一回目の宛先のファクシミリ番号を複製し、複製した一回目の宛先のファクシミリ番号６０５を構成する１０数字のうち、下２桁の２数字６０６（例えば、「８９」）を一部として決定する。次に、前記擬似宛先生成手段４０２は、予め備えられた乱数生成部４０３を用いて、前記一部を構成する２数字６０６（「８９」）に対応して、無作為に２数字６０７（例えば、「９０」）を生成させる。そして、前記擬似宛先生成手段４０２は、前記生成した２数字６０７（「９０」）と、前記一部を構成する２数字６０６（「８９」）とを各１数字毎に比較して、両者が同一であるか否かを判定する。
【００５６】
前記判定の結果、両者が同一である場合、前記擬似宛先生成手段４０２は、先ほど生成した２数字６０７を消去し、前記乱数生成部４０３を用いて、再度、新たな２数字を生成し、前記一部を構成する２数字６０６と比較することになる。これにより、前記一回目の宛先のファクシミリ番号と同一である擬似宛先のファクシミリ番号の生成を回避することが可能となる。
【００５７】
一方、前記判定の結果、両者が同一でない場合は、前記擬似宛先生成手段４０２は、先ほど複製した一回目の宛先のファクシミリ番号６０５のうち、前記一部を構成する２数字６０６（「８９」）を、前記生成した２数字６０７（「９０」）に変換（変更）する。当該変換後のファクシミリ番号６０８が、前記擬似宛先のファクシミリ番号として生成される。
【００５８】
これにより、一見して、前記一回目の宛先のファクシミリ番号と同一でない擬似宛先のファクシミリ番号を生成することが可能となる。ここで、前記擬似宛先のファクシミリ番号は、前記一回目の宛先のファクシミリ番号の全体のうち、一部のみが異なり、他の部分は全て同一に構成された宛先のファクシミリ番号であるため、当該一回目の宛先のファクシミリ番号と近似（類似）していることになる。
【００５９】
尚、前記宛先がファクシミリ番号（又は電話番号）の場合は、所定の地域に対応して最初の数字から所定数の数字まで（例えば、大阪府であれば、上２桁の数字は「０６」）予め決定されている。そのため、前記擬似宛先生成手段４０２は、前記宛先がファクシミリ番号（又は電話番号）の場合には、最後の数字から所定数の数字までの数字（例えば、下２桁の数字）を、前記一回目の宛先のファクシミリ番号を構成する数字の一部として決定すると、生成される擬似宛先のファクシミリ番号は、前記一回目の宛先のファクシミリ番号と一層近似し、紛らわしくなる。
【００６０】
又、前記擬似宛先生成手段４０２が、複数の擬似宛先のファクシミリ番号６０８を生成する場合は、一の擬似宛先のファクシミリ番号６０８を生成する毎に、先ほど生成した擬似宛先のファクシミリ番号６０８の変換対象である一部と、既に生成した擬似宛先のファクシミリ番号６０８の一部とを比較して、両者が同一である場合に、先ほど生成した擬似宛先のファクシミリ番号６０８を消去し、両者が同一でない場合に、先ほど生成した擬似宛先のファクシミリ番号６０８を保持する。これにより、前記擬似宛先のファクシミリ番号６０８を重複して生成されることを防止することが出来る。
【００６１】
さて、前記擬似宛先生成手段４０２は、上述した方法を繰り返して、所定数（例えば、５つ）の擬似宛先のファクシミリ番号６０８を生成すると、その旨を擬似宛先表示手段４０４に通知する。当該通知を受けた擬似宛先表示手段４０４は、前記擬似宛先生成手段４０２から、前記一回目の宛先のファクシミリ番号と前記擬似宛先のファクシミリ番号とを取得するとともに、前記ファクシミリ送信画面６００から、当該取得した一回目の宛先のファクシミリ番号のキー及び擬似宛先のファクシミリ番号のキーを押下可能に表示した宛先選択画面をタッチパネル２０１上に表示する（図５：Ｓ１０４）。
【００６２】
前記宛先選択画面７００には、図７（Ａ）に示すように、前記一回目の宛先のファクシミリ番号（「０１２３４５６７８９」）のキー７０１と、所定数（５つ）の擬似宛先のファクシミリ番号（「０１２３４５６７９０」など）のキー７０２と、前記スタートキー７０３とが押下可能に表示される。
【００６３】
これにより、ユーザは、前記キー７０１、７０２の中から、前記一回目の宛先のファクシミリ番号のキー７０１を探し出せば良いため、当該一回目の宛先のファクシミリ番号を再度入力する操作を省略することが可能となる。又、前記一回目の宛先のファクシミリ番号のキー７０１の他に、前記擬似宛先のファクシミリ番号のキー７０２も表示されるため、ユーザは、各キー７０１、７０２の宛先のファクシミリ番号を注意深く確認することになる。つまり、これを機に、ユーザは、前記一回目の宛先のファクシミリ番号が正しいか否かを十分に検討することになる。そのため、ユーザは、二回目の宛先のファクシミリ番号の入力操作の煩わしさから開放されるとともに、自己の入力した宛先のファクシミリ番号の正否を十分に検討することが可能となる。
【００６４】
ここで、前記擬似宛先表示手段４０４が、前記キー７０１、７０２を押下可能に表示する場合には、どのような配置形態で表示しても構わないが、例えば、図７（Ａ）に示すように、前記取得した一回目の宛先のファクシミリ番号のキー７０１と、前記擬似宛先のファクシミリ番号のキー７０２とを無作為に上下２列、左右３列に配置して表示する。このように構成すると、ユーザは、前記キー７０１、７０２の押下の際に、いずれのキー７０１、７０２が前記一回目の宛先のファクシミリ番号であるか十分に確認する必要が生じるため、入力ミスを可能な限り防止することが出来る。
【００６５】
さて、ユーザが、前記宛先選択画面７００を見ながら、前記一回目の宛先のファクシミリ番号と思われる所定の宛先のファクシミリ番号（例えば、「０１２３４５６７９０」）のキーを押下して、前記スタートキー７０３を押下すると（図５：Ｓ１０５ＹＥＳ）、前記擬似宛先生成手段４０２は、前記スタートキー７０３の押下を受け付けて、前記押下されたキーの宛先のファクシミリ番号を宛先判定手段４０５に通知する。当該通知を受けた宛先判定手段４０５は、前記押下されたキーの宛先のファクシミリ番号（「０１２３４５６７９０」）を二回目の宛先のファクシミリ番号として受け付けるとともに、前記表示受付手段４０１から前記一回目の宛先のファクシミリ番号（「０１２３４５６７８９」）を取得する。そして、前記宛先判定手段４０５は、前記二回目の宛先のファクシミリ番号と前記一回目の宛先のファクシミリ番号とを比較し（図５：Ｓ１０６）、当該二回目の宛先のファクシミリ番号（「０１２３４５６７９０」）が、当該一回目の宛先のファクシミリ番号（「０１２３４５６７８９」）と同一であるか否かを判定する（図５：Ｓ１０７）。
【００６６】
具体的には、前記宛先判定手段４０５が、前記二回目の宛先のファクシミリ番号を構成する全ての数字と、前記一回目の宛先のファクシミリ番号を構成する全ての数字とを最初の１数字から最後の１数字まで各１数字毎に比較し、両者の全ての数字が同一であれば、両者は同一であると判定し、１数字でも同一で無ければ、両者は同一でないと判定する。
【００６７】
前記判定の結果、前記二回目の宛先のファクシミリ番号が、前記一回目の宛先のファクシミリ番号と同一でない場合（図５：Ｓ１０７ＮＯ）、前記宛先判定手段４０５が、その旨を前記表示受付手段４０１に通知する。当該通知を受けた表示受付手段４０１は、前記メモリに一時記憶されていた一回目の宛先のファクシミリ番号（「０１２３４５６７８９」）を消去し、Ｓ１０１に戻って、前記宛先選択画面から前記ファクシミリ送信画面に切り替え表示することで（図５：Ｓ１０１）、ユーザに、新たな一回目の宛先のファクシミリ番号を再度入力させる。
【００６８】
これにより、入力ミスされたファクシミリ番号の宛先に基づいて前記ファクシミリ送信機能が実行されるのを防止し、ユーザに、適切な宛先のファクシミリ番号を再入力させることが可能となる。
【００６９】
尚、このような場合は、例えば、ユーザにより前記一回目の宛先のファクシミリ番号が誤って入力されており、当該ユーザが、前記二回目の宛先のファクシミリ番号のキーを適切に押下した場合などに対応する。
【００７０】
一方、前記判定の結果、前記二回目の宛先のファクシミリ番号が、前記一回目の宛先のファクシミリ番号と同一である場合（図５：Ｓ１０７ＹＥＳ）、前記宛先判定手段４０５は、その旨を前記表示受付手段４０１に通知する。当該通知を受けた表示受付手段４０１は、前記メモリに一時記憶された一回目の宛先のファクシミリ番号の入力を確定する（図５：Ｓ１０８）。そして、前記表示受付手段４０１は、その旨を機能提供手段４０６に通知し、当該通知を受けた機能提供手段４０６は、前記確定した宛先のファクシミリ番号を用いてファクシミリ送信機能を実行する（図５：Ｓ１０９）。
【００７１】
具体的には、前記機能提供手段４０６が、前記原稿台１０１に載置された原稿から画像データを取得し、当該取得した画像データを、前記確定したファクシミリ番号（「０１２３４５６７８９」）の宛先に送信する。
【００７２】
これにより、ユーザに、前記宛先のファクシミリ番号を注意深く確認させた上で前記ファクシミリ送信機能を実行するため、誤って入力されたファクシミリ番号の宛先に所定の画像データ誤って送信されることを出来る限り回避することが可能となる。
【００７３】
このように、本発明の操作部１０２は、一回目の宛先のファクシミリ番号が入力された場合に、当該一回目の宛先のファクシミリ番号を構成する数字の一部を所定の数字に変換した擬似宛先のファクシミリ番号を生成する擬似宛先生成手段４０２と、二回目の宛先のファクシミリ番号が入力される際に、ユーザに、前記一回目の宛先のファクシミリ番号のキーと、前記擬似宛先のファクシミリ番号のキーとを押下可能に表示する擬似宛先表示手段４０４とを備える。又、前記操作部１０２は、所定の宛先のファクシミリ番号のキーが押下されると、当該押下されたキーの宛先のファクシミリ番号を二回目の宛先のファクシミリ番号として、当該二回目の宛先のファクシミリ番号が、前記一回目の宛先のファクシミリ番号と同一であるか否かを判定する宛先判定手段４０５を備える。
【００７４】
これにより、ユーザは、二回目の宛先のファクシミリ番号を入力することなく、擬似宛先のファクシミリ番号のキー７０２と一回目の宛先のファクシミリ番号のキー７０１との中から、当該一回目の宛先のファクシミリ番号のキー７０１を探し出して、押下すればよいため、ユーザに、二回目の宛先のファクシミリ番号の入力操作を省略させるとともに、一回目の宛先のファクシミリ番号と擬似宛先のファクシミリ番号とを十分に検討させて、一回目の宛先のファクシミリ番号の正否を十分に確認させることが可能となる。その結果、宛先のファクシミリ番号の入力ミスを防止することが可能となる。
【００７５】
尚、本発明の実施形態では、数字から構成されるファクシミリ番号を宛先としたが、他の構成、例えば、英数字や英文字から構成される電子メールアドレスやファイルのパス名、ＦＴＰのパス名を宛先としても構わない。
【００７６】
例えば、前記宛先が電子メールアドレスの場合には、図７（Ｂ）に示すように、前記擬似宛先生成手段４０２が、一回目の宛先の電子メールアドレス７０４を構成する英数字のうち、メールサーバを特定するドメイン名以外の一部、例えば、特定の文字（アットマーク「＠」）よりも前の英数字である、最初の英数字から３つ目の英数字までの３つの英数字７０５（「ａｂｃ」）を一部として決定し、無作為に英数字を生成する所定の英数字生成部を用い、当該一部７０５に対応して、無作為に３つの英数字７０６（「ｃｄ２」）を生成させる。尚、生成した３つの英数字と、前記一部を構成する３つの英数字とを比較したり判定したりする処理は、上述と同様である。このようにして、前記擬似宛先生成手段４０２は、擬似宛先の電子メールアドレス７０７を生成することが出来る。
【００７７】
又、例えば、前記宛先（保存先に対応）がファイルのパス名の場合には、図７（Ｂ）に示すように、前記擬似宛先生成手段４０２が、一回目の宛先のファイルのパス名７０８を構成する英文字のうち、所定のファイル名に対応する一部、例えば、特定の文字（スラッシュ文字「／」又は「￥」）の間に含まれる、前記ファイルのパス名７０８の中央に位置する所定数の英文字７０９（例えば、「ｄｅｆｇ」）を一部として決定し、無作為に英文字を生成する所定の英文字生成部を用い、当該一部７０９に対応して、無作為に所定数の英文字７１０（「ｗｘｙｚ」）を生成させる。尚、生成した所定数の英文字と、前記一部を構成する所定数の英文字とを比較したり判定したりする処理は、上述と同様である。このようにして、前記擬似宛先生成手段４０２は、擬似宛先のファイルのパス名７１１を生成することが出来る。
【００７８】
前記宛先が電子メールアドレスの場合には、例えば、図８（Ａ）に示すように、ＰＣに備えられた操作部（ユーザインターフェイス部）が、ディスクトップ上に所定の画面８００（例えば、所定の問い合わせ画面）を表示して、ユーザから宛先の入力を受け付ける場合に採用される。この場合も、図８（Ａ）に示すように、一回目の宛先の電子メールアドレス８０１が入力されると、前記擬似宛先生成手段４０２が、所定数の擬似宛先の電子メールアドレスを生成し、前記擬似宛先表示手段４０４が、前記一回目の宛先の電子メールアドレスのキー８０２と、前記擬似宛先の電子メールアドレスのキー８０３とを押下可能に表示することになる。尚、前記宛先が電子メールアドレスの場合は、前記ＰＣの操作部に限られず、前記複合機１００の操作部１０２であっても当然採用される。
【００７９】
又、前記宛先がファイルのパス名の場合には、例えば、図８（Ｂ）に示すように、複合機１００の操作部１０２が、タッチパネル２０１上に所定の画面８０４（例えば、ファイルボックス画面）を表示して、ユーザから宛先の入力を受け付ける場合に採用される。この場合も、図８（Ｂ）に示すように、一回目の宛先のファイルのパス名８０５が入力されると、前記擬似宛先生成手段４０２が、所定数の擬似宛先のファイルのパス名を生成し、前記擬似宛先表示手段４０４が、前記一回目の宛先のファイルのパス名のキー８０６と、前記擬似宛先のファイルのパス名のキー８０７とを押下可能に表示することになる。尚、前記宛先がファイルのパス名の場合は、前記複合機１００の操作部１０２に限られず、前記ＰＣの操作部であっても当然採用される。
【００８０】
又、本発明の実施形態では、前記擬似宛先生成手段４０２が、変換対象である前記一部を構成する文字６０６（数字）を、無作為に生成された文字６０７（数字）に変換して前記擬似宛先６０８を生成したが、他の構成でも良い。例えば、前記擬似宛先生成手段４０２は、変換対象である前記一部を構成する文字を、当該一部と異なる前記一回目の宛先の文字又は当該一部の文字から無作為に選択された文字に変換して前記擬似宛先を生成するよう構成しても良い。具体的には、前記一回目の宛先のファクシミリ番号が「０１２３４５６７８９」で、前記一部が「８９」である場合、当該一部と異なる前記一回目の宛先のファクシミリ番号の数字から無作為に選択された数字であれば、「０１２３４５６７」のうち、無作為に選択された２つの数字（例えば、「０１」など）となり、当該一部の文字から無作為に選択された数字であれば、「８９」のうち、無作為に選択された２つの数字（例えば、「８８」など）となる。当該構成とすると、生成される擬似宛先のファクシミリ番号は、前記一回目の宛先のファクシミリ番号と一層紛らわしくなり、ユーザに注意深く検討させることが可能となる。尚、他の宛先であっても同様である。
【００８１】
又、本発明の実施形態では、前記擬似宛先生成手段４０２が、前記一回目の宛先のファクシミリ番号６０５を構成する１０数字のうち、下２桁の２数字６０６を一部として決定するよう構成したが、他の構成でも良い。例えば、前記擬似宛先生成手段４０２が、前記一回目の宛先を構成する文字数のうち、当該一回目の宛先を構成する文字数の半分以下であれば、どのような構成でも構わない。例えば、前記宛先がファクシミリ番号であれば、下１桁の１つの数字でも、下３桁の３つの数字でもよい。又、前記宛先が電子メールアドレスであれば、特定の文字（アットマーク「＠」）よりも前の英数字であれば、どの位置の英数字でもよく、例えば、最初の英数字から所定数（３から１０までの範囲内の所定数など）の英数字を前記一部として決定しても構わない。又、前記宛先がファイルのパス名であれば、特定の文字（スラッシュ文字「／」又は「￥」）で区切られた英文字であれば、どの位置の英文字でもよく、例えば、前記ファイルのパス名が、「ａｂｃ/ｄｅｆｇ/ｈｉｊｋ/ｌｍｎ/ｏｐｑｒ」である場合、「ａｂｃ」、「ｄｅｆｇ」、「ｈｉｊｋ」、「ｌｍｎ」、「ｏｐｑｒ」のいずれの英文字を前記一部として決定しても構わない。尚、前記一部の決定については、適宜設計変更可能であり、前記ＦＴＰであっても同様である。
【００８２】
又、本発明の実施形態では、前記文字に、数字、英数字、英文字の他に、漢字、ハングルなど異国の文字が含まれても構わない。
【００８３】
又、本発明の実施形態では、前記宛先に、ファクシミリ番号、電話番号、電子メールアドレス、ファイルのパス名、ＦＴＰのパス名の他に、電子情報部材に関する宛先が含まれても構わない。
【００８４】
又、本発明の実施形態に係る操作部１０２では、複合機１００のファクシミリ送信機能の処理に関して採用したが、例えば、コピー機能、ファクシミリ受信機能、電子メール送受信機能、スキャン機能、ファイルボックス機能、プリント機能等に対しても採用できる。更に、本発明の実施形態では、操作部１０２を複合機１００に適用した場合について説明したが、画面表示可能な操作部１０２（操作装置）を備えた各種画像形成装置、各種画像処理装置、各種画像加工装置、各種画像表示装置等に適用しても、前記操作部１０２をパーソナルコンピュータなどの端末装置のユーザインターフェイス部とみなして、当該端末装置に適用しても、同一の作用効果を奏する。
【００８５】
又、本発明の実施形態では、操作部１０２が各手段を備えるよう構成したが、当該各手段を実現するプログラムを記憶媒体に記憶させ、当該記憶媒体を提供するよう構成しても構わない。当該構成では、前記プログラムを操作部１０２或いは複合機１００に読み出させ、その操作部１０２或いは複合機１００が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００８６】
以上のように、本発明に係る操作装置及び操作方法は、複合機はもちろん、複写機、プリンタ等に有用であり、同一の宛先を二回入力する際に、当該宛先の入力を簡単に行うことが出来るとともに、当該宛先の入力ミスを防止することが可能な操作装置及び操作方法として有効である。
【符号の説明】
【００８７】
１００  複合機
１０２  操作部
４０１  表示受付手段
４０２  擬似宛先生成手段
４０３  乱数生成部
４０４  擬似宛先表示手段
４０５  宛先判定手段
４０６  機能提供手段
【図１】
0005542778.tif 000002
【図２】
0005542778.tif 000003
【図３】
0005542778.tif 000004
【図４】
0005542778.tif 000005
【図５】
0005542778.tif 000006
【図６】
0005542778.tif 000007
【図７】
0005542778.tif 000008
【図８】
0005542778.tif 000009